【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
太陽エネルギーを使用して炭素繊維含有材料から炭素繊維を再生するためのシステムであって、
太陽光集光システム；
太陽光集光システムから集光した太陽光によって処理される炭素繊維含有材料を置くためのサンプル台であって、ガス吸収管を備えるサンプル台；及び
ガス吸収管に接続されている廃ガス処理システム
を備えるシステム。
【請求項２】
太陽光集光システムが
太陽光を集光する複数のヘリオスタット；及び
集光した太陽光をサンプル台に反射する複数の平面反射体
を備える、請求項１に記載のシステム。
【請求項３】
複数のヘリオスタットがそれぞれ複数の凹面反射ミラーを備える、請求項２に記載のシステム。
【請求項４】
サンプル台が、サンプル台を前後左右に動かすサーボモータによって駆動される、請求項１から３のいずれか一項に記載のシステム。
【請求項５】
ガス吸収管がサンプル台の周囲に固定されている、請求項１から４のいずれか一項に記載のシステム。
【請求項６】
廃ガス処理システムが、
ガス吸収管に接続された除塵装置；及び
除塵装置に接続されたガス吸収処理装置
を備える、請求項１から５のいずれか一項に記載のシステム。
【請求項７】
除塵装置が、濾過による除塵によって、ガス吸収管に吸収されたガスから粉塵を除去し、ガス吸収処理装置が、吸収剤としてアルカリ溶液を利用することによってガス中の酸性物質を吸収する、請求項６に記載のシステム。
【請求項８】
サンプル台で処理された炭素繊維含有材料を受け入れ加熱するための微細処理炉をさらに備える、請求項１から７のいずれか一項に記載のシステム。
【請求項９】
微細処理炉が加熱庫、ヒートシンク及び溶融塩パイプを備え、加熱庫が、キャビネットライナー及びハウジングを備え、キャビネットライナーとハウジングの間の中間層が溶融塩で埋められ、ハウジングの外側には保温断熱装置が取り付けられている、請求項８に記載のシステム。
【請求項１０】
ヒートシンクが、管状熱交換器及び漏斗形フォトマスクを備え、管状熱交換器が溶融塩をその中に含み、漏斗形フォトマスクは太陽光を太陽光集光システムから管状熱交換器に集光して、管状熱交換器内の溶融塩を加熱する、請求項９に記載のシステム。
【請求項１１】
溶融塩パイプが、加熱庫の中間層の下端とヒートシンクの管状熱交換器の上部入口とを連通し、加熱庫の中間層の上端とヒートシンクの管状熱交換器の下部出口とを連通する、請求項１０に記載のシステム。
【請求項１２】
太陽エネルギーを使用して炭素繊維含有材料から炭素繊維を再生するための自動制御を達成するデジタル制御システムをさらに備え、デジタル制御システムがデータ取得装置、データ送信装置、制御ホスト及び監視ソフトウェアを備える、請求項１から１１のいずれか一項に記載のシステム。
【請求項１３】
集光した太陽光からの照射によって炭素繊維強化ポリマー材料を加熱し、炭素繊維強化ポリマー材料からポリマーの第１の部分を除去すること；
ポリマーの第１の部分が除去された炭素繊維強化ポリマー材料を微細処理炉に入れること；及び
炭素繊維強化ポリマー材料を微細処理炉内で所定の温度で加熱して、炭素繊維強化ポリマー材料からポリマーの第２の部分を除去すること
を含む、太陽エネルギーを使用して炭素繊維強化ポリマー材料から炭素繊維を再生するための方法。
【請求項１４】
繊維強化ポリマー材料が、集光した太陽光からの照射によって加熱されて、炭素繊維強化ポリマー材料から４０−８０％のポリマーを除去する、請求項１３に記載の方法。
【請求項１５】
炭素繊維強化ポリマー材料が、炭素繊維を含有する熱硬化性樹脂マトリックス複合材料である、請求項１３または１４に記載の方法。
【手続補正２】
【補正対象書類名】明細書
【補正対象項目名】００７０
【補正方法】変更
【補正の内容】
【００７０】
太陽エネルギーを使用して炭素繊維含有材料から炭素繊維を再生するための本開示のシステム及び方法の様々な実施形態を例示し説明してきたが、本明細書を読めば、当業者には変更が想起されるであろう。本出願はそのような変更を含み、特許請求の範囲によってのみ限定される。また、本発明は以下に記載する態様を含む。
（態様１）
太陽エネルギーを使用して炭素繊維含有材料から炭素繊維を再生するためのシステムであって、
太陽光集光システム；
太陽光集光システムから集光した太陽光によって処理される炭素繊維含有材料を置くためのサンプル台であって、ガス吸収管を備えるサンプル台；及び
ガス吸収管に接続されている廃ガス処理システム
を備えるシステム。
（態様２）
太陽光集光システムが
太陽光を集光する複数のヘリオスタット；及び
集光した太陽光をサンプル台に反射する複数の平面反射体
を備える、態様１に記載のシステム。
（態様３）
複数のヘリオスタットがそれぞれ複数の凹面反射ミラーを備える、態様２に記載のシステム。
（態様４）
サンプル台が、サンプル台を前後左右に動かすサーボモータによって駆動される、態様１に記載のシステム。
（態様５）
ガス吸収管がサンプル台の周囲に固定されている、態様１に記載のシステム。
（態様６）
廃ガス処理システムが、ガス吸収管に接続された除塵装置；及び除塵装置に接続されたガス吸収処理装置を備える、態様１に記載のシステム。
（態様７）
除塵装置が、濾過による除塵によって、ガス吸収管に吸収されたガスから粉塵を除去する、態様６に記載のシステム。
（態様８）
ガス吸収処理装置が、吸収剤としてアルカリ溶液を利用することによってガス中の酸性物質を吸収する、態様６に記載のシステム。
（態様９）
サンプル台で処理された炭素繊維含有材料を受け入れ加熱するための微細処理炉をさらに備える、態様１に記載のシステム。
（態様１０）
微細処理炉が加熱庫、ヒートシンク及び溶融塩パイプを備える、態様９に記載のシステム。
（態様１１）
加熱庫が、キャビネットライナー及びハウジングを備え、キャビネットライナーとハウジングの間の中間層が溶融塩で埋められ、ハウジングの外側には保温断熱装置が取り付けられている、態様１０に記載のシステム。
（態様１２）
ヒートシンクが、管状熱交換器及び漏斗形フォトマスクを備え、管状熱交換器が溶融塩をその中に含み、漏斗形フォトマスクは太陽光を太陽光集光システムから管状熱交換器に集光して、管状熱交換器内の溶融塩を加熱する、態様１１に記載のシステム。
（態様１３）
溶融塩パイプが、加熱庫の中間層の下端とヒートシンクの管状熱交換器の上部入口とを連通し、加熱庫の中間層の上端とヒートシンクの管状熱交換器の下部出口とを連通する、態様１２に記載のシステム。
（態様１４）
溶融塩の運転温度が４００-５８０℃であり、溶融塩はＫＮＯ３とＮａＮＯ３の二元混合塩である、態様１２に記載のシステム。
（態様１５）
太陽エネルギーを使用して炭素繊維含有材料から炭素繊維を再生するための自動制御を達成するデジタル制御システムをさらに備え、デジタル制御システムがデータ取得装置、データ送信装置、制御ホスト及び監視ソフトウェアを備える、態様１に記載のシステム。
（態様１６）
集光した太陽光からの照射によって炭素繊維強化ポリマー材料を加熱し、炭素繊維強化ポリマー材料からポリマーの第１の部分を除去すること；
ポリマーの第１の部分が除去された炭素繊維強化ポリマー材料を微細処理炉に入れること；及び
炭素繊維強化ポリマー材料を微細処理炉内で所定の温度で加熱して、炭素繊維強化ポリマー材料からポリマーの第２の部分を除去すること
を含む、太陽エネルギーを使用して炭素繊維強化ポリマー材料から炭素繊維を再生するための方法。
（態様１７）
炭素繊維強化ポリマー材料が、集光した太陽光からの照射によって３５０−６００℃の間で加熱される、態様１６に記載の方法。
（態様１８）
繊維強化ポリマー材料が、集光した太陽光からの照射によって加熱されて、炭素繊維強化ポリマー材料から４０−８０％のポリマーを除去する、態様１７に記載の方法。
（態様１９）
炭素繊維強化ポリマー材料が、微細処理炉内で加熱され、炭素繊維強化ポリマー材料から残留ポリマーを除去する、態様１８に記載の方法。
（態様２０）
炭素繊維強化ポリマー材料が、炭素繊維を含有する熱硬化性樹脂マトリックス複合材料である、態様１６に記載の方法。